(57)【要約】  【課題】  軽質廃棄物と重質廃棄物との選別能力の高い風力選別装置を提供する。  【解決手段】  ホッパー部１０から投入された廃棄物は、落下して傾斜板１９に衝突してほぐされ、重質廃棄物は重力によりベルトコンベア１８上に転がり落ち、ほぐされた廃棄物の内、軽質廃棄物は、噴射ノズル４２から噴出した圧縮空気により傾斜板１９上から軽質廃棄物排出口２１に吹き込まれる。さらに、ベルトコンベア１８上に転がり落ちた重質廃棄物に付着しているビニール、プラスチック、紙等の軽質廃棄物は、噴射ノズル４３から噴出した圧縮空気により、傾斜板１９方向に吹き飛ばされて、軽質廃棄物排出口２１に向けて吹き込まれ、第２選別室３内で、風力により土、砂等が除去される。【選択図】  図１
2006068605.tif 000002
【特許請求の範囲】
【請求項１】
廃棄物を投入する投入口を備え、風力により前記廃棄物を可燃物を主体とする軽質廃棄物と、それ以外の重質廃棄物とに選別する第１選別室と、当該第１選別室に接続され当該第１選別室で選別された軽質廃棄物に付着した土又は砂を主体とした付着物を当該軽質廃棄物から除去する第２選別室とを備えた風力選別装置であって、
前記投入口は前記第１選別室の上部の前記第２選別室近傍の部分に設けられ、
さらに、前記第１選別室は、
当該第１選別室の前記第２選別室側の壁部に設けられ、前記軽質廃棄物を前記第２選別室に投入する軽質廃棄物排出口と、
当該第１選別室内の底部側に設けられ、落下した前記重質廃棄物を前記軽質廃棄物排出口側方向と反対側方向に搬送して当該第１選別室外に搬送する重質廃棄物搬送手段と、
前記投入口の直下に設けられ、上端部が前記軽質廃棄物排出口まで延設され且つ下端部が前記重質廃棄物搬送手段上まで延設され、且つ、落下してくる廃棄物が衝突する傾斜板と、
当該傾斜板に向けて、前記軽質廃棄物排出口と反対方向から圧縮空気を噴射する第１圧縮空気噴射手段と、
前記重質廃棄物搬送手段により搬送される廃棄物に対して、前記軽質廃棄物排出口と反対方向から圧縮空気を噴射する第２圧縮空気噴射手段と、
前記投入口の近傍に設けられ、前記軽質廃棄物排出口方向に空気を送風する吹出防止送風手段とを備え、
前記第２選別室は、
前記第１選別室の軽質廃棄物排出口から前記軽質廃棄物を受け入れる軽質廃棄物受入口と、
前記軽質廃棄物受入口から受け入れられた前記軽質廃棄物から前記付着物を風力により除去する付着物除去手段と、
前記軽質廃棄物を前記軽質廃棄物受入口と反対方向に搬送して当該第２選別室外に搬送する軽質廃棄物搬送手段と
を備えたことを特徴とする風力選別装置。
【請求項２】
前記付着物除去手段は、
前記軽質廃棄物受入口と前記軽質廃棄物搬送手段との間に設けられ、多数の開口が形成された網板と、
当該網板の下方に設けられ、当該網板上を通過する前記軽質廃棄物に対して送風する付着物除去送風手段とから構成されていることを特徴とする請求項１に記載の風力選別装置。
【請求項３】
前記軽質廃棄物搬送手段の搬送方向下流側の前記第２選別室の上部には、当該第２選別室の内部の空気を外部に排出するための第２選別室排気口が設けられ、
当該第２選別室排気口には、排出される空気を前記付着物除去送風手段に送るための第１ダクトが設けられていることを特徴とする請求項２に記載の風力選別装置。
【請求項４】
前記軽質廃棄物搬送手段は、ベルトコンベアから構成され、
当該ベルトコンベアは、前記第２選別室外にその搬送方向下流側の一部分をはみ出して設けられ、
前記第２選別室外に出た前記ベルトコンベアの一部分には、防塵カバーが設けられ、
当該防塵カバーには、当該防塵カバー内の空気を外部に排出するための防塵カバー排気口が設けられ、
当該防塵カバー排気口には、排出される空気を前記吹出防止送風手段に送るための第２ダクトが設けられていることを特徴とする請求項１乃至３の何れかに記載の風力選別装置。
【請求項５】
前記軽質廃棄物搬送手段の下方に、前記第２選別室の底板と所定間隔を空け、且つ、多数の開口が形成された敷板を備えたことを特徴とする請求項１乃至４の何れかに記載の風力選別装置。
【請求項６】
前記傾斜板の下方の前記第１選別室の側壁部には、第１選別室下部排気口が設けられ、
当該第１選別室下部排気口には、排出される空気を前記吹出防止送風手段に送るための第３ダクトが設けられていることを特徴とする請求項１乃至５の何れかに記載の風力選別装置。
【請求項７】
廃棄物を投入する投入口を選別室に備え、風力により前記廃棄物を可燃物を主体とする軽質廃棄物と、それ以外の重質廃棄物とに選別し、前記選別室の側壁部の上部側に設けた軽質廃棄物排出口から軽質廃棄物を排出する風力選別装置であって、
前記投入口は前記選別室の上部の前記軽質廃棄物排出口近傍の部分に設けられ、
当該選別室内の底部側に設けられ、落下した前記重質廃棄物を前記軽質廃棄物排出口側方向と反対側方向に搬送して当該選別室外に搬送する重質廃棄物搬送手段と、
前記投入口の直下に設けられ、上端部が前記軽質廃棄物排出口まで延設され且つ下端部が前記重質廃棄物搬送手段上まで延設され、落下してくる廃棄物が衝突する傾斜板と、
当該傾斜板に向けて、前記軽質廃棄物排出口と反対方向から圧縮空気を噴射する第１圧縮空気噴射手段と、
前記重質廃棄物搬送手段により搬送される廃棄物に対して、前記軽質廃棄物排出口と反対方向から圧縮空気を噴射する第２圧縮空気噴射手段と、
前記投入口の近傍に設けられ、前記軽質廃棄物排出口方向に空気を送風する吹出防止送風手段とを備えたことを特徴とする風力選別装置。
【発明の詳細な説明】
【技術分野】
【０００１】
本発明は、風力選別装置に関し、詳細には、廃棄物を可燃物を主体とする軽質廃棄物と、それ以外の重質廃棄物とに選別する風力選別装置に関する。
【背景技術】
【０００２】
従来、廃棄物中に混在する、紙、繊維、プラスチック類、ビニール類等の可燃物を主体とする軽質廃棄物とそれ以外の重質廃棄物（例えば、コンクリート、比較的大きな木片、金属類、硝子ビン等）とを風力で選別する風力選別機が提案されている（例えば、特許文献１乃至３）。これらの従来の風力選別装置では、落下する廃棄物に空気を吹き付けて、遠くに飛ばされる軽質廃棄物と、直下に落下する重質廃棄物とを選別するようになっていた。
【特許文献１】特開平８−３０９２８６号公報
【特許文献２】特開平１０−２４９２８２号公報
【特許文献４】特開平１０−２８６５２５号公報
【発明の開示】
【発明が解決しようとする課題】
【０００３】
しかしながら、上述のような風力選別装置では、ビニール、プラスチック、紙等の軽質廃棄物と、コンクリート、硝子ビン、岩石、金属、土、砂等の重質廃棄物とが単に混在しているだけなら、選別することも可能であるが、軽質廃棄物が重質廃棄物に絡みついている場合や、これらが混合した廃棄物が土中に埋められていて、軽質廃棄物に土や砂等が付着している場合には、軽質廃棄物だけをきれいに選別できないという問題点があった。この場合には、軽質廃棄物をきれいに選別できないので、軽質廃棄物も最終処分場に埋めざるをえないという問題点があった。
【０００４】
本発明は、上述の問題点を解決するためになされたものであり、軽質廃棄物と重質廃棄物との選別能力が高い風力選別装置を提供することを目的とする。
【課題を解決するための手段】
【０００５】
上記目的を達成するために、請求項１に記載の風力選別装置は、廃棄物を投入する投入口を備え、風力により前記廃棄物を可燃物を主体とする軽質廃棄物と、それ以外の重質廃棄物とに選別する第１選別室と、当該第１選別室に接続され当該第１選別室で選別された軽質廃棄物に付着した土又は砂を主体とした付着物を当該軽質廃棄物から除去する第２選別室とを備えた風力選別装置であって、前記投入口は前記第１選別室の上部の前記第２選別室近傍の部分に設けられ、さらに、前記第１選別室は、当該第１選別室の前記第２選別室側の壁部に設けられ、前記軽質廃棄物を前記第２選別室に投入する軽質廃棄物排出口と、当該第１選別室内の底部側に設けられ、落下した前記重質廃棄物を前記軽質廃棄物排出口側方向と反対側方向に搬送して当該第１選別室外に搬送する重質廃棄物搬送手段と、前記投入口の直下に設けられ、上端部が前記軽質廃棄物排出口まで延設され且つ下端部が前記重質廃棄物搬送手段上まで延設され、且つ、落下してくる廃棄物が衝突する傾斜板と、当該傾斜板に向けて、前記軽質廃棄物排出口と反対方向から圧縮空気を噴射する第１圧縮空気噴射手段と、前記重質廃棄物搬送手段により搬送される廃棄物に対して、前記軽質廃棄物排出口と反対方向から圧縮空気を噴射する第２圧縮空気噴射手段と、前記投入口の近傍に設けられ、前記軽質廃棄物排出口方向に空気を送風する吹出防止送風手段とを備え、前記第２選別室は、前記第１選別室の軽質廃棄物排出口から前記軽質廃棄物を受け入れる軽質廃棄物受入口と、前記軽質廃棄物受入口から受け入れられた前記軽質廃棄物から前記付着物を風力により除去する付着物除去手段と、前記軽質廃棄物を前記軽質廃棄物受入口と反対方向に搬送して当該第２選別室外に搬送する軽質廃棄物搬送手段とを備えている。
【０００６】
請求項２に記載の風力選別装置は、請求項１に記載の発明の構成に加え、前記付着物除去手段は、前記軽質廃棄物受入口と前記軽質廃棄物搬送手段との間に設けられ、多数の開口が形成された網板と、当該網板の下方に設けられ、当該網板上を通過する前記軽質廃棄物に対して送風する付着物除去送風手段とから構成されている。
【０００７】
請求項３に記載の風力選別装置は、請求項２に記載の発明の構成に加え、前記軽質廃棄物搬送手段の搬送方向下流側の前記第２選別室の上部には、当該第２選別室の内部の空気を外部に排出するための第２選別室排気口が設けられ、当該第２選別室排気口には、排出される空気を前記付着物除去送風手段に送るための第１ダクトが設けられている。
【０００８】
請求項４に記載の風力選別装置は、請求項１乃至３の何れかに記載の発明の構成に加え、前記軽質廃棄物搬送手段は、ベルトコンベアから構成され、当該ベルトコンベアは、前記第２選別室外にその搬送方向下流側の一部分をはみ出して設けられ、前記第２選別室外に出た前記ベルトコンベアの一部分には、防塵カバーが設けられ、当該防塵カバーには、当該防塵カバー内の空気を外部に排出するための防塵カバー排気口が設けられ、当該防塵カバー排気口には、排出される空気を前記吹出防止送風手段に送るための第２ダクトが設けられていることを特徴とする。
【０００９】
請求項５に記載の風力選別装置は、請求項１乃至４の何れかに記載の発明の構成に加え、前記軽質廃棄物搬送手段の下方に、前記第２選別室の底板と所定間隔を空け、且つ、多数の開口が形成された敷板を備えている。
【００１０】
請求項６に記載の風力選別装置は、請求項１乃至５の何れかに記載の発明の構成に加え、  前記傾斜板の下方の前記第１選別室の側壁部には、第１選別室下部排気口が設けられ、当該第１選別室下部排気口には、排出される空気を前記吹出防止送風手段に送るための第３ダクトが設けられている。
【００１１】
請求項７に記載の風力選別装置は、廃棄物を投入する投入口を選別室に備え、風力により前記廃棄物を可燃物を主体とする軽質廃棄物と、それ以外の重質廃棄物とに選別し、前記選別室の側壁部の上部側に設けた軽質廃棄物排出口から軽質廃棄物を排出する風力選別装置であって、前記投入口は前記選別室の上部の前記軽質廃棄物排出口近傍の部分に設けられ、当該選別室内の底部側に設けられ、落下した前記重質廃棄物を前記軽質廃棄物排出口側方向と反対側方向に搬送して当該選別室外に搬送する重質廃棄物搬送手段と、前記投入口の直下に設けられ、上端部が前記軽質廃棄物排出口まで延設され且つ下端部が前記重質廃棄物搬送手段上まで延設され、落下してくる廃棄物が衝突する傾斜板と、当該傾斜板に向けて、前記軽質廃棄物排出口と反対方向から圧縮空気を噴射する第１圧縮空気噴射手段と、前記重質廃棄物搬送手段により搬送される廃棄物に対して、前記軽質廃棄物排出口と反対方向から圧縮空気を噴射する第２圧縮空気噴射手段と、前記投入口の近傍に設けられ、前記軽質廃棄物排出口方向に空気を送風する吹出防止送風手段とを備えている。
【発明の効果】
【００１２】
請求項１に記載の風力選別装置では、投入口から投入された廃棄物は落下して、傾斜板に衝突する。この衝突のエネルギーにより廃棄物は、ほぐされることになる。そして、第１圧縮空気噴射手段から噴射される圧縮空気により、軽質廃棄物は傾斜板上から軽質廃棄物排出口まで吹き飛ばされる。また、重質廃棄物は重力により傾斜板上から重質廃棄物搬送手段上に落ちて、重質廃棄物搬送手段により軽質廃棄物排出口側方向と反対側方向に搬送されるが、その重質廃棄物搬送手段上の重質廃棄物に対して、第２圧縮空気噴射手段が軽質廃棄物排出口と反対方向から圧縮空気を噴射するので、重質廃棄物搬送手段上の重質廃棄物に付着している軽質廃棄物は、軽質廃棄物排出口方向に吹き飛ばされる。また、吹出防止送風手段により、投入口から外に軽質廃棄物が吹き出されるのを防止できる。そして、軽質廃棄物排出口から第２選別室の軽質廃棄物受入口を介して、受け入れられた軽質廃棄物から付着物除去手段が付着物を風力により除去し、その軽質廃棄物を軽質廃棄物搬送手段が軽質廃棄物受入口と反対方向に搬送して当該第２選別室外に搬送する。従って、軽質廃棄物が重質廃棄物に絡みついている場合や、これらが混合した廃棄物が土中に埋められていて、軽質廃棄物に土や砂等が付着している場合でも、軽質廃棄物と重質廃棄物と選別能力を高くできるという効果を奏する。このように、軽質廃棄物と重質廃棄物とを確実に選別できれば、軽質廃棄物は焼却処分にし、重質廃棄物は、さらに振動式風力選別装置等で、コンクリート、石、土、砂等に選別して資源化を図ることも可能となる。従って、廃棄物を最終処分場に埋め立てる必要も無くなるし、また、最終処分場に埋め立てられている廃棄物を掘り出して、軽質廃棄物を選別して焼却処分及び重質廃棄物の資源化を図ることも可能になる。
【００１３】
また、請求項２に記載の風力選別装置では、請求項１に記載の発明の効果に加え、軽質廃棄物受入口と軽質廃棄物搬送手段との間に設けられ、多数の開口が形成された網板の下方に設けられた付着物除去送風手段から当該網板上を通過する軽質廃棄物に対して送風して、当該軽質廃棄物に付着した土や砂等の付着物を除去することができる。従って、簡単な構造で、第１選別室で一旦選別された軽量廃棄物から土や砂等の付着物を除去することができる。
【００１４】
また、請求項３に記載の風力選別装置では、請求項２に記載の発明の効果に加え、軽質廃棄物搬送手段の搬送方向下流側の第２選別室の上部には、第２選別室の内部の空気を外部に排出するための第２選別室排気口が設けられ、第２選別室排気口には、排出される空気を付着物除去送風手段に送るための第１ダクトが設けられているので、第２選別室内の空気は、循環されて、空気中に放出されることがないので、風力選別装置の周りの環境を埃等で汚染することがない。
【００１５】
また、請求項４に記載の風力選別装置では、請求項１乃至３の何れかに記載の発明の効果に加え、軽質廃棄物搬送手段としてのベルトコンベアは、第２選別室外にその搬送方向下流側の一部分をはみ出して設けられているが、この第２選別室外に出たベルトコンベアの一部分には、防塵カバーが設けられ、当該防塵カバーには防塵カバー内の空気を外部に排出するための防塵カバー排気口が設けられ、当該防塵カバー排気口には、排出される空気を吹出防止送風手段に送るための第２ダクトが設けられているので、軽質廃棄物搬送手段から埃や、土や、砂等が空気中に放出されて風力選別装置の周りの環境を汚染することがない。
【００１６】
また、請求項５に記載の風力選別装置では、請求項１乃至４の何れかに記載の発明の効果に加え、軽質廃棄物搬送手段の下方に設けられ、第２選別室の底板と所定間隔を空け、且つ、多数の開口が形成された敷板から、土や砂は落下して、第２選別室の底部に集められる。従って、付着物だった土や砂を容易に取り除くことができる。
【００１７】
また、請求項６に記載の風力選別装置では、請求項１乃至５の何れかに記載の発明の効果に加え、傾斜板の下方の第１選別室の側壁部には、第１選別室下部排気口が設けられ、第１選別室下部排気口には、排出される空気を前記吹出防止送風手段に送るための第３ダクトが設けられているので、傾斜板の下方の第１選別室内の空気は第１選別室内に循環される。
【００１８】
また、請求項７に記載の風力選別装置では、投入口から投入された廃棄物は落下して、傾斜板に衝突する。この衝突のエネルギーにより廃棄物は、ほぐされることになる。そして、第１圧縮空気噴射手段から噴射される圧縮空気により、軽質廃棄物は傾斜板上から軽質廃棄物排出口まで吹き飛ばされる。また、重質廃棄物は重力により傾斜板上から重質廃棄物搬送手段上に落ちて、重質廃棄物搬送手段により軽質廃棄物排出口側方向と反対側方向に搬送されるが、その重質廃棄物搬送手段上の重質廃棄物に対して、第２圧縮空気噴射手段が軽質廃棄物排出口と反対方向から圧縮空気を噴射するので、重質廃棄物搬送手段上の重質廃棄物に付着している軽質廃棄物は、軽質廃棄物排出口方向に吹き飛ばされる。また、吹出防止送風手段により、投入口から外に軽質廃棄物が吹き出されるのを防止できる。従って、軽質廃棄物が重質廃棄物に絡みついている場合や、これらが混合した廃棄物が土中に埋められていて、軽質廃棄物に土や砂等が付着している場合でも、軽質廃棄物と重質廃棄物とを確実に選別できるという効果を奏する。このように、軽質廃棄物と重質廃棄物とを確実に選別できれば、軽質廃棄物は焼却処分にし、重質廃棄物は、さらに振動式風力選別装置等で、コンクリート、石、土、砂等に選別して資源化を図ることも可能となる。従って、廃棄物を最終処分場に埋め立てる必要も無くなるし、また、最終処分場に埋め立てられている廃棄物を掘り出して、選別して焼却処分及び資源化を図ることも可能になる。
【発明を実施するための最良の形態】
【００１９】
以下、本発明の一実施の形態である風力選別装置１について、図面を参照して説明する。尚、風力選別装置１は、廃棄物中に混在する、紙、繊維、廃プラスチック類、ビニール類等の可燃物を主体とする軽質廃棄物とそれ以外の重質廃棄物（例えば、コンクリート、石、比較的大きな木片、金属類、硝子ビン、土、砂等）とを風力で選別する風力選別機である。以下、図１乃至図８を参照して、風力選別装置１の詳細を説明する。ここで、図１は、風力選別装置１の全体構成を示す正面図であり、図２は、風力選別装置１の縦断面図であり、図３は、第１選別室２の平面図であり、図４は、第１選別室２の左側面図であり、図５は、第１選別室２の右側面図であり、図６は、第２選別室３の平面図であり、図７は、第２選別室３の左側面図であり、図８は、第２選別室３の右側面図である。
【００２０】
まず、図１及び図２を参照して、風力選別装置１の全体構成を説明する。この風力選別装置１は、軽質廃棄物と重質廃棄物とが混在した廃棄物が最初に投入されて、圧縮空気により軽質廃棄物と重質廃棄物とに選別される第１選別室２と、当該第１選別室２で選別された軽質廃棄物に付着した土や砂等の付着物を風力により除去する第２選別室３とから構成されている。なお、第１選別室２で選別された重質廃棄物は、図１に示す磁選機４で、磁力により鉄系の金属が選別され、その後、図示外の傾斜した振動する金網の上に重質廃棄物が上部から流されて、土や砂と、コンクリートや石等とが選別される振動式選別装置により選別が行われるようになっている。また、第２選別室３で付着物が風力により除去された軽質廃棄物は、図示外の水洗装置により水洗されて汚れが除去されるようになっている。また、図１及び図２に示すように、風力選別装置１では、第１選別室２と第２選別室３とは、一直線に配置され、軽質廃棄物が第１選別室２から排出される軽質廃棄物排出口２１のダクト２２が第２選別室３の軽質廃棄物受入口３１に嵌合している。そして、図１において、重質廃棄物は、左側へ、軽質廃棄物は、右側へ排出されるようになっている。
【００２１】
次に、図１乃至図５を参照して、第１選別室２の構造の詳細を説明する。この第１選別室２は、本体が鋼板製の一部切り欠きを有する略直方体形状で、その上部の第２選別室３側に、廃棄物が最初に投入される投入口であるホッパー部１０が設けられている。そして、第１選別室２の図１に示す右側に第２選別室３が接続されるようになっている。
【００２２】
このホッパー部１０は、図１乃至図２に示すように、上下が開放された直方体から成る基部１１にホッパー１２が固着され、その上部には正面に開口部１４を有し、下部が開放された略直方体の鋼板製の防塵カバー１３が設けられ、防塵カバー１３の開口部１４には、ゴム製のすだれ１４Ａが設けられ、図４に示すように、廃棄物をホッパー部１０に運搬するベルトコンベア１５の先端が防塵カバーの開口部１４に挿入された場合に、廃棄物が外部に出ないようになっている。また、この防塵カバー１３は、ホッパー１２に着脱可能に図示外のボルトで固定されており、防塵カバー１３を外せば、ホッパー１２の上部からパワーシャベル等による廃棄物の投入も可能となっている。
【００２３】
また、図３に示すように、ホッパー部１０の基部１１には、ホッパー１２に投入された廃棄物の内、軽質廃棄物が第１選別室２内から外へ吹き戻されるのを防止する吹出防止送風ファン１６，１７が設けられている。この吹出防止送風ファン１６，１７は、ホッパー１２の下部近傍に設けられ軽質廃棄物排出口２１に向けて斜め下に送風している。従って、軽質廃棄物が第１選別室２内で浮き上がっても、軽質廃棄物排出口２１に向けて吹出防止送風ファン１６，１７が送風しているので、軽質廃棄物は、軽質廃棄物排出口２１に向かいホッパー１２から外に吹き戻されることがない。
【００２４】
次に、第１選別室２の内部構造について図１及び図２を参照して説明する。図１及び図２に示すように、第１選別室２の底部には、重質廃棄物搬送手段としてのベルトコンベア１８が設けられ、その搬送方向上流側１８Ａに落下した重質廃棄物がベルトコンベア１８上を搬送されて、第１選別室２外の搬送方向下流側１８Ｂに搬送されて、磁選機４により、鉄系の金属が除去されるようになっている。尚、図４及び図５に示すように、第１選別室２内には、重質廃棄物をベルトコンベア１８上に向かって落下させる傾斜した鋼板製の傾斜板２３，２４がベルトコンベア１８に沿って設けられている。この傾斜板２３，２４により、重質廃棄物は、確実にベルトコンベア５０上に案内されることになる。
【００２５】
ホッパー１２の直下には、ホッパー１２から落下する廃棄物が衝突する強度の十分ある鋼板製平板の傾斜板１９が設けられている。この傾斜板１９は、軽質廃棄物排出口２１の下端部からベルトコンベア１８の搬送方向上流側１８Ａまで延設されており、ホッパー１２から落下する廃棄物が傾斜板１９に衝突してほぐされて、重質廃棄物は、ベルトコンベア１８上に重力により転がり落ちるようになっている。また、傾斜板１９の裏側には、風力選別装置１内の傾斜板１９裏の空気を吹出防止送風ファン１６に送るための排気口６１が設けられ、排気口６１と吹出防止送風ファン１６との間は、ダクト８５により接続されている。
【００２６】
また、図１に示すように、風力選別装置１の正面には、内部を覗くためと、明かり取りのための覗窓２５が設けられ、図４に示すように、風力選別装置１の左側面には、内部を覗くための覗窓２６が設けられている。
【００２７】
また、第１選別室２の内部には、傾斜板１９に向けて、軽質廃棄物排出口と反対方向、即ち、重質廃棄物の排出方向側から（図１及び図２に示す左側から）圧縮空気を噴射する第１圧縮空気噴射手段として、水平に一対配置された噴射ノズル４２，４２が設けられている。この噴射ノズル４２，４２の先端は、傾斜板１９に向かっている。従って、噴射ノズル４２，４２から噴出した圧縮空気は、傾斜板１９に向かって噴射され、傾斜板１９に衝突してほぐされた廃棄物中から軽質廃棄物を軽質廃棄物排出口２１に向けて吹き込むようになっている。
【００２８】
さらに、第１選別室２の内部には、ベルトコンベア１８上に向けて、軽質廃棄物排出口と反対方向、即ち、重質廃棄物の排出方向側から（図１及び図２に示す左側から）圧縮空気を噴射する第２圧縮空気噴射手段として、水平に一対配置された噴射ノズル４３，４３が設けられている。この噴射ノズル４３，４３の先端は、ベルトコンベア１８上に向かっている。従って、噴射ノズル４３，４３から噴出した圧縮空気は、ベルトコンベア１８により運搬される重質廃棄物に向かって噴射され、重質廃棄物に付着しているビニール、プラスチック、紙等の軽質廃棄物を傾斜板１９方向に吹き飛ばすことができる。傾斜板１９方向に吹き飛ばされた軽質廃棄物は、噴射ノズル４２，４２から傾斜板１９に向けて噴射される圧縮空気により、軽質廃棄物排出口２１に向けて吹き込まれるようになっている。尚、噴射ノズル４３，４３の先端の方向は、手動操作により一定範囲で変更可能となっている。
【００２９】
また、図１及び図４に示すように、第１選別室２の上部には、圧縮空気を供給するパイプ４２Ａ，４３Ａ等が接続された圧縮空気供給部４０が設けられ、圧縮空気供給部４０には、パイプ４２Ａ，４３Ａを支えるパイプ保持部４１が設けられている。尚、圧縮空気供給部４０には、図示外のコンプレッサーから圧縮空気が供給されるようになっている。
【００３０】
従って、第１選別室２では、ホッパー部１０から投入された廃棄物は、落下して傾斜板１９に衝突して、その衝突のエネルギーでほぐされ、重質廃棄物は重力によりベルトコンベア１８上に転がり落ちる。また、傾斜板１９に衝突してほぐされた廃棄物の内、軽質廃棄物は、噴射ノズル４２，４２から噴出した圧縮空気により傾斜板１９上から軽質廃棄物排出口２１に吹き込まれる。さらに、ベルトコンベア１８上に転がり落ちた重質廃棄物に付着しているビニール、プラスチック、紙等の軽質廃棄物は、噴射ノズル４３，４３から噴出した圧縮空気により、傾斜板１９方向に吹き飛ばされて、軽質廃棄物排出口２１に向けて吹き込まれることになる。
【００３１】
尚、第１選別室２の上面部の一部は、蝶番２７，２７により回動可能に保持されて、開閉可能となっている。
【００３２】
次に、図１、図２、図６、図７及び図８を参照して、第２選別室３の構造の詳細について説明する。第２選別室３は、略直方体の鋼板製の箱形状に形成され、その正面部には、蝶番により観音開きに開閉可能な開閉扉３２，３３が設けられ、開閉扉３２には、覗窓３２Ａ，３２Ｂが設けられ、開閉扉３３には、覗窓３３Ａ，３３Ｂが設けられている。また、開閉扉３２，３３の下方には、内部に堆積した土や砂を取り出すための着脱可能な扉３４，３５が設けられている。さらに、図２に示すように、第２選別室３内で下から略１／３の高さの位置に土や砂が通過可能な開口部である網目を多数有した十分な強度を有する鉄製の網板から構成された敷板５３が水平に固定されている。
【００３３】
さらに、図２及び図７に示すように、第２選別室３の第１選別室２側の側面（左側面）には、軽質廃棄物受入口３１が形成され、第１選別室２のダクト２２が嵌合している。従って、第１選別室２の軽質廃棄物排出口２１、ダクト２２及び第２選別室３の軽質廃棄物受入口３１を介して、軽質廃棄物が第１選別室２から第２選別室３に送り込まれるようになっている。
【００３４】
また、第２選別室３には、軽質廃棄物搬送手段としてのベルトコンベア５０が設けられている。このベルトコンベア５０の搬送方向上流側５０Ａの底部は、敷板５３に接しており、ベルトコンベア５０の搬送方向下流側５０Ｂは、第２選別室３の右側面の上部に設けられた軽質廃棄物排出口７５から第２選別室３外にはみ出ている。そして、そのはみ出したベルトコンベア５０の搬送方向下流側５０Ｂは、第２選別室３の右側面の上部から延設された防塵カバー３９により覆われている。そして、ベルトコンベア５０で搬送された軽質廃棄物は、防塵カバー３９の下部開口３９Ａから図示外の水洗装置内に落下して、水洗されるようになっている。
【００３５】
軽質廃棄物受入口３１の下端部とベルトコンベア５０の搬送方向上流側５０Ａの上部との間には、多数の開口を有し、十分な強度を有する鉄製の網の板から構成された網板５１が架設されている。図２において、この網板５１の斜め左下（第１選別室側斜め下）には、網板５１上を通過する軽質廃棄物に送風して、軽質廃棄物に付着した土や砂等を落とすための付着物除去ファン５２が設けられている。この付着物除去ファン５２は、図７に示すように、５２Ａ，５２Ｂの一対設けられている。また、図７に示すように、第２選別室３内には、軽質廃棄物をベルトコンベア５０上に向かって落下させ、土や砂は通過させる開口部を多数有し、傾斜した網板７１，７２がベルトコンベア５０に沿って設けられている。網板７１，７２により、軽質廃棄物は、確実にベルトコンベア５０上に案内されることになる。また、土や砂等の付着物は、網板５１及び網板７１，７２の網目を通過して落下し、敷板５３の網目を通過して、第２選別室３の底部に設けられた付着物回収部５４に貯まる。尚、付着物回収部５４に貯まった土や砂等の付着物は、扉３４，３５を取り外して、回収できる。
【００３６】
また、図１及び図２に示すように、第２選別室３の上面部には、第２選別室３内の空気を排出する第２選別室排気口３６，３７が設けられ、防塵カバー３９の上面部にも、防塵カバー３９内の空気を排出する防塵カバー排気口３８が設けられている。図６に示すように、第２選別室排気口３６には、ダクト８１が接続され、そのダクト８１の先端部は付着物除去ファン５２Ｂに接続されている。また、第２選別室排気口３７には、ダクト８２が接続され、そのダクト８２の先端部は付着物除去ファン５２Ａに接続されている。従って、第２選別室３内の空気は、外部に排出されることなく、循環されて、環境を埃等で汚染することがない。
【００３７】
さらに、図６に示すように、防塵カバー排気口３８には、ダクト８３が接続され、図３に示すように、そのダクト８３の先端部は吹出防止送風ファン１７に接続されている。従って、防塵カバー第２選別室３内の空気は、外部に排出されることなく、第１選別室２内に戻されて、環境を埃等で汚染することがない。
【００３８】
また、第２選別室３の開閉扉３３には、梯子７０が設けられ、第２選別室３の上面に上れるようになっている。さらに、第２選別室３の上面には、滑り止めの縞鋼板７６が貼られている。この縞鋼板７６の貼り付け箇所は、上部全面でも、必要な箇所だけでも良い。
【００３９】
以上説明したように本実施の形態の風力選別装置１では、第１選別室２内で、傾斜板１９に衝突することによって廃棄物がほぐされて、そこに圧縮空気が噴射されて軽質廃棄物は、第２選別室３に吹き込まれる。また、ベルトコンベア１８で搬送される重質廃棄物にも圧縮空気が噴射され、予め重質廃棄物に付着していたり、絡んでいた軽質廃棄物は、第２選別室３方向へ吹き飛ばされる。従って、従来の単純な風力選別に比べて、軽質廃棄物と重質廃棄物との選別能力が高く、土中に埋められていた様な廃棄物でも確実に軽質廃棄物と重質廃棄物とに選別できる。また、第２選別室３では、風力により、軽質廃棄物に付着した土や砂等の付着物を除去するようにしているので、軽質廃棄物をよりきれいな状態にできる。
【００４０】
さらに、本実施の形態の風力選別装置１では、ダクト８１，８２，８３，８５を用いて、第１選別室２、第２選別室３、及び防塵カバー３９内の空気を外部に排出せず、循環するようにしているので、風力選別装置１が設置された場所の周囲の環境を汚染することがない。さらに、第１選別室２と、第２選別室３とは、互いにダクト２２部分で、切り離し可能と成っているので、第１選別室２及び第２選別室３を、各々、その上部角に設けたフックにワイヤーを掛けてつり上げて、移動可能となっている。
【００４１】
尚、本発明は、上記実施の形態に限られず、各種の変形が可能である。例えば、吹出防止送風ファン１６，１７や、付着物除去ファン５２Ａ，５２Ｂは、一対設けているが必ずしも一対に限られず、１つ又は３個以上でも良い。尚、第１選別室２内や第２選別室３内には、照明を設けても良い。
【図面の簡単な説明】
【００４２】
【図１】風力選別装置１の全体構成を示す正面図である。
【図２】風力選別装置１の縦断面図である。
【図３】第１選別室２の平面図である。
【図４】第１選別室２の左側面図である。
【図５】第１選別室２の右側面図である。
【図６】第２選別室３の平面図である。
【図７】第２選別室３の左側面図である。
【図８】第２選別室３の右側面図である。
【符号の説明】
【００４３】
１  風力選別装置
２  第１選別室
３  第２選別室
４  磁選機
１０  ホッパー部
１２  ホッパー
１３  防塵カバー
１６  吹出防止送風ファン
１７  吹出防止送風ファン
１８  ベルトコンベア
１８Ａ  搬送方向上流側
１８Ｂ  搬送方向下流側
１９  傾斜板
２１  軽質廃棄物排出口
３１  軽質廃棄物受入口
３６  選別室排気口
３７  選別室排気口
３８  防塵カバー排気口
３９  防塵カバー
４０  圧縮空気供給部
４１  パイプ保持部
４２  噴射ノズル
４３  噴射ノズル
５０  ベルトコンベア
５０Ａ  搬送方向上流側
５０Ｂ  搬送方向下流側
５１  網板
５２Ａ  付着物除去ファン
５２Ｂ  付着物除去ファン
５３  敷板
６１  排気口
７５  軽質廃棄物排出口
８１  ダクト
８２  ダクト
８３  ダクト
８５  ダクト
【図１】
2006068605.tif 000003
【図２】
2006068605.tif 000004
【図３】
2006068605.tif 000005
【図４】
2006068605.tif 000006
【図５】
2006068605.tif 000007
【図６】
2006068605.tif 000008
【図７】
2006068605.tif 000009
【図８】
2006068605.tif 000010